(57)【要約】【課題】受聴者に対して聴感上の違和感を低減してノイズ抑圧を行うノイズ抑圧回路を提供する。【解決手段】ＡＭ波のＲＦ信号ＳRFと局部発振器１３から出力される局発信号ＯＳＣとを混合して中間周波数のＩＦ信号ＳIFaを生成する混合器１０と、混合器１０から出力されるＩＦ信号ＳIFaを帯域制限して希望波としてのＩＦ信号ＳIFb，ＳIFcを出力するＩＦフィルタ１１とを有する受信機に設けられるノイズ抑圧回路であって、混合器１０から出力されるＩＦ信号ＳIFaの信号成分のレベルが所定閾値より小さく、且つＲＦ信号ＳRFに混入している第１のノイズ成分のレベルより希望波としてのＩＦ信号ＳIFcに混入している第２のノイズ成分のレベルが小さいと、局部発振器１３から出力される局発信号ＯＳＣに代えて、直流電圧の信号を混合器１０へ供給させる判定信号Ｓnzwinを発生する判定部１８を備える。【選択図】図２
2007096886.tif 000002
【特許請求の範囲】
【請求項１】
ＡＭ波のＲＦ信号と局部発振器から出力される局発信号とを混合して中間周波数のＩＦ信号を生成する混合器と、前記混合器から出力される前記ＩＦ信号を帯域制限して希望波としてのＩＦ信号を出力するＩＦフィルタとを有する受信機に設けられるノイズ抑圧回路であって、
前記混合器から出力される前記ＩＦ信号の信号成分のレベルが所定閾値より小さく、且つ前記ＲＦ信号に混入している第１のノイズ成分のレベルより前記希望波としてのＩＦ信号に混入している第２のノイズ成分のレベルが小さいと、前記局部発振器から出力される局発信号に代えて、直流電圧の信号を前記混合器へ供給させる判定信号を発生する判定手段、を有することを特徴とするノイズ抑圧回路。
【請求項２】
前記判定手段は、前記混合器から出力される前記ＩＦ信号の信号成分のレベルが前記所定閾値より小さい場合には、前記局部発振器から出力される局発信号を混合器に供給させる判定信号を発生することを特徴とする請求項１に記載のノイズ抑圧回路。
【請求項３】
前記判定手段は、前記混合器から出力される前記ＩＦ信号の信号成分のレベルが所定閾値より小さく、且つ前記ＲＦ信号に混入している第１のノイズ成分のレベルより前記希望波としてのＩＦ信号に混入している第２のノイズ成分のレベルが小さいと、前記局部発振器から出力される局発信号を混合器に供給させる判定信号を発生することを特徴とする請求項１に記載のノイズ抑圧回路。
【請求項４】
前記混合器から出力される前記ＩＦ信号の信号成分のレベルと前記所定閾値と比較し、前記混合器から出力される前記ＩＦ信号の信号成分のレベルが前記所定閾値より小さいと、前記混合器から出力される前記ＩＦ信号レベルが小さいことを示す信号レベル検出信号を出力する信号レベル検出手段を更に備え、
前記判定手段は、前記ＩＦ信号レベルが小さいことを示す信号レベル検出信号が出力され、前記ＲＦ信号に混入している第１のノイズ成分のレベルより前記希望波としてのＩＦ信号に混入している第２のノイズ成分のレベルが小さいと、前記直流電圧の信号を前記混合器へ供給させる判定信号を発生することを特徴とする請求項１に記載のノイズ抑圧回路。
【請求項５】
前記ＲＦ信号に混入している第１のノイズ成分のレベルと前記希望波としてのＩＦ信号に混入している第２のノイズ成分のレベルとを比較し、レベルの大きいノイズ成分を示すノイズ検出信号を出力するノイズレベル比較手段を更に備え、
前記判定手段は、前記ＩＦ信号レベルが小さいことを示す信号レベル検出信号と、前記第１のノイズ成分のレベルが前記第２のノイズ成分のレベルより大きいことを示す前記ノイズ検出信号が出力されると、前記直流電圧の信号を前記混合器へ供給させる判定信号を発生することを特徴とする請求項４に記載のノイズ抑圧回路。
【発明の詳細な説明】
【技術分野】
【０００１】
本発明は、ＡＭ放送等の受信信号に混入したノイズを抑圧するノイズ抑圧回路に関する。
【背景技術】
【０００２】
ＡＭ放送等のＡＭ波は、電器製品や自動車等から発生する外来ノイズ（例えばパルスノイズ）等が混入すると、振幅が乱れるためにノイズに弱く、混信妨害も受けやすい欠点がある。このため、従来のＡＭ放送受信機等では、ノイズや混信に対する性能向上を図るべくノイズ抑圧回路が設けられている。
【０００３】
図１（ａ）は、従来のノイズ抑圧回路が設けられたＡＭ放送受信機の構成を表したブロック図、図１（ｂ）は、そのノイズ抑圧回路の機能を説明するための波形図である。
【０００４】
図１（ａ）において、このＡＭ放送受信機はスーパーヘテロダイン方式が用いられ、受信アンテナＡＮＴと、フロントエンド１、混合器２、ＩＦフィルタ３、ＩＦ増幅器４及び局部発振器５を有する一般的な構成に加えて、ノイズ検出回路６と単安定マルチバイブレータ７及びゲート回路８で形成されたノイズ抑圧回路が設けられている。
【０００５】
ノイズ検出回路６は、ＡＭ放送を受信中に、フロントエンド１から混合器２に供給されているＲＦ信号ＳRFを入力し、ＲＦ信号ＳRFに混入しているノイズ成分を抽出してノイズ検出信号Ｓnzとして出力する。
【０００６】
単安定マルチバイブレータ７は、ノイズ検出信号Ｓnzを波形整形し、上述のノイズ成分の発生期間Ｔnsを示す矩形波状のゲート信号Ｓgateを出力する。
【０００７】
ゲート回路８は、ゲート信号Ｓgateの論理値に応じてスイッチング動作する論理回路で形成されており、ゲート信号Ｓgateが論理“Ｌ”のとき（ノイズ成分が混入していないとき）には、局部発振器５から出力される局部発振周波数ｆcの局発信号ＯＳＣを混合器２に供給し、ゲート信号Ｓgateが論理“Ｈ”のとき（ノイズ成分が混入しているとき）には、局発信号ＯＳＣを遮断して、所定の直流電圧の信号を混合器２に供給する。
【０００８】
すなわち、ゲート回路８は、図１（ｂ）（ｃ）（ｄ）に示すように、ＲＦ信号ＳRFにノイズ成分が混入していないときには、論理“Ｌ”となるゲート信号Ｓgateに応じて、局発信号ＯＳＣをゲート処理後の局発信号ＳLoとして混合器２に供給し、ＲＦ信号ＳRFにノイズ成分が混入したときには、論理“Ｈ”となるゲート信号Ｓgateに応じて、直流電圧の信号をゲート処理後の局発信号ＳLoとして混合器２に供給する。
【０００９】
そして、混合器２がＲＦ信号ＳRFとゲート回路８を介して供給される局発信号ＳLoとを混合することで中間周波数のＩＦ信号ＳIFaに周波数変換して出力し、更にＩＦフィルタ３がＩＦ信号ＳIFaを最大周波数偏移内のＩＦ信号ＳIFbに帯域制限すると共に、ＩＦ増幅器４が増幅することで希望波としてのＩＦ信号ＳIFcを生成して検波器側へ出力する。
【００１０】
かかる構成を有するＡＭ放送受信機では、ＲＦ信号ＳRFにノイズ成分が混入していないときには、局発信号ＯＳＣがそのまま信号ＳLoとなって混合器２に供給されるため、混合器２において通常の周波数変換が行われて、上述のＩＦ信号ＳIFa，ＳIFb，ＳIFcが生成される。
【００１１】
一方、ノイズ抑圧回路がＲＦ信号ＳRFに混入しているノイズ成分を検出すると、局発信号ＯＳＣに代えて直流電圧の信号ＳLoが混合器２に供給されるため、混合器２において実質的に周波数変換が行われなくなり、図１（ｅ）に示すように、ノイズ成分の発生期間Ｔnzに相当する期間において上述のＩＦ信号ＳIFa，ＳIFb，ＳIFcの振幅が直流電圧レベルとなる。このことから、ＲＦ信号ＳRF中のノイズ成分がＩＦ信号ＳIFa，ＳIFb，ＳIFcに混入するのを抑制することが可能となっている。
【発明の開示】
【発明が解決しようとする課題】
【００１２】
ところが、上記従来のノイズ抑圧回路はＲＦ信号ＳRFに混入しているノイズ成分を検出すると局発信号ＯＳＣを遮断するので、局部発振周波数ｆc以外の周波数成分（遮断による高周波成分等）を含んだ信号ＳLoが混合器２へ供給されることとなる。したがって、混合器２はＲＦ信号ＳRFに対して局部発振周波数ｆcのみならずそれ以外の周波数で周波数変換を行うこととなり、ＩＦ信号ＳIFa，ＳIFb，ＳIFcの中心周波数に近接して新たなノイズ成分が生じる場合がある。このため、検波、復調後の音声信号をスピーカ等で再生すると歪みを含んだ音が再生されてしまい、受聴者に対して違和感を与える等の問題があった。
【００１３】
例えば、混合器２に入力される信号ＳLoの局部発振周波数ｆc以外の周波数をｆ1，ｆ2 …ｆn、受聴者が選択した放送局の局周波数をｆch、ＩＦ信号ＳIFa，ＳIFb，ＳIFcの希望信号成分の中心周波数をｆo、希望信号成分を通過させるためのＩＦフィルタ３の通過帯域幅をＢＷ、隣接妨害波の周波数をｆgで表すこととすると、周波数ｆ1，ｆ2 …ｆnと隣接妨害波の周波数ｆgとの夫々の周波数差ｆ1−ｆg，ｆ2−ｆg …ｆn−ｆgの位置に新たなノイズ成分が発生したり、また、周波数ｆ1，ｆ2 …ｆnと局周波数ｆchとの夫々の周波数差ｆ1−ｆch，ｆ2−ｆch …ｆn−ｆchの位置に新たなノイズ成分が発生する。
【００１４】
そして、これらのノイズ成分がＩＦ信号ＳIFa，ＳIFb，ＳIFcの中心周波数ｆoに近接し且つＩＦフィルタ３の通過帯域幅ＢＷの範囲内に生じる場合があることから、ＩＦフィルタ３ではこれらのノイズ成分を除去することができなくなって、希望信号成分に対するノイズ成分（妨害信号）との比であるＳＮ比等が悪化してしまい、ＩＦ信号ＳIFcを検波、復調した後の音声信号をスピーカ等で再生すると歪みを含んだ音が再生され、受聴者に対して違和感を与える等の問題を招いていた。
【００１５】
本発明は、こうした従来の問題点に鑑みてなされたものであり、受聴者に対する違和感を低減してノイズ抑圧を行うノイズ抑圧回路を提供することを目的とする。
【課題を解決するための手段】
【００１６】
請求項１に記載の発明は、ＡＭ波のＲＦ信号と局部発振器から出力される局発信号とを混合して中間周波数のＩＦ信号を生成する混合器と、前記混合器から出力される前記ＩＦ信号を帯域制限して希望波としてのＩＦ信号を出力するＩＦフィルタとを有する受信機に設けられるノイズ抑圧回路であって、前記混合器から出力される前記ＩＦ信号の信号成分のレベルが所定閾値より小さく、且つ前記ＲＦ信号に混入している第１のノイズ成分のレベルより前記希望波としてのＩＦ信号に混入している第２のノイズ成分のレベルが小さいと、前記局部発振器から出力される局発信号に代えて、直流電圧の信号を前記混合器へ供給させる判定信号を発生する判定手段、を有することを特徴とする。
【００１７】
請求項２に記載の発明は、請求項１に記載のノイズ抑圧回路において、前記判定手段は、前記混合器から出力される前記ＩＦ信号の信号成分のレベルが前記所定閾値より小さい場合には、前記局部発振器から出力される局発信号を混合器に供給させる判定信号を発生することを特徴とする。
【００１８】
請求項３に記載の発明は、請求項１に記載のノイズ抑圧回路において、前記判定手段は、前記混合器から出力される前記ＩＦ信号の信号成分のレベルが所定閾値より小さく、且つ前記ＲＦ信号に混入している第１のノイズ成分のレベルより前記希望波としてのＩＦ信号に混入している第２のノイズ成分のレベルが小さいと、前記局部発振器から出力される局発信号を混合器に供給させる判定信号を発生することを特徴とする。
【発明を実施するための最良の形態】
【００１９】
本発明の実施の形態に係るノイズ抑圧回路について、図２を参照して説明する。図２は、本実施形態のノイズ抑圧回路の構成を表したブロック図である。
【００２０】
図２において、本実施形態のノイズ抑圧回路は、ＡＭ放送を受信する放送受信機に設けられている。
【００２１】
すなわち、放送受信機は、スーパーヘテロダイン方式が用いられ、受信アンテナＡＮＴとフロントエンド９と、混合器１０、ＩＦフィルタ１１、ＩＦ増幅器１２及び局部発振器１３とを備えた一般的な構成を有しており、ノイズ抑圧回路は、信号レベル検出部１４と、増幅回路１５，１６と、ノイズレベル比較部１７、判定部１８、ゲート信号生成部１９及びゲート回路２０を有して構成されている。
【００２２】
増幅回路１５は、放送を受信中に、フロントエンド９から混合器１０に供給されるＲＦ信号ＳRFを入力して所定の増幅率Ｇaで増幅し、その増幅したＲＦ信号ＳRFaをノイズレベル比較部１７に供給する。
【００２３】
増幅回路１６は、ＩＦ増幅器１２から検波器（図示略）側へ出力される希望波であるＩＦ信号ＳIFcを入力して所定の増幅率Ｇcで増幅し、その増幅したＩＦ信号ＳIFccをノイズレベル比較部１７に供給する。
【００２４】
ここで、増幅回路１５，１６の各増幅率Ｇa，Ｇcは、ＲＦ信号ＳRFにノイズが混入していない場合に、ＲＦ信号ＳRFaの信号成分のレベルとＩＦ信号ＳIFccの信号成分のレベルとを合わせるように予め微調整されている。すなわち、ノイズが混入していないときのＲＦ信号ＳRFのレベルをＬRF、そのＲＦ信号ＳRFが周波数変換されることによって生じるＩＦ信号ＳIFcのレベルをＬIFc、増幅回路１５から出力されるＲＦ信号ＳRFaのレベルをＬRFa、増幅回路１６から出力されるＩＦ信号ＳIFccのレベルをＬIFccで表すこととすると、次式（１）で表されるように、信号ＳRFaのレベルＬIFaと信号ＳIFccのレベルＬIFccとが同レベルとなるように、増幅回路１５，１６の夫々の増幅率Ｇa，Ｇcが予め微調整されている。
【００２５】
【数１】
2007096886.tif 000003
【００２６】
ノイズレベル比較器１７は、実際に放送を受信中に、増幅回路１５，１６から供給される上述のＲＦ信号ＳRFaとＩＦ信号ＳIFccを入力し、ＲＦ信号ＳRFaに混入しているノイズ成分（以下、符号「ＳRFnz」で表す）を抽出すると共に、ＩＦ信号ＳIFccに混入しているノイズ成分（以下、符号「ＳIFnz」で表す）を抽出する。更に、ノイズレベル比較器１７は、ノイズ成分ＳRFnz，ＳIFnzの両者のレベルを比較し、次式（２）（３）で表されるように、ノイズ成分ＳRFnzのレベルがノイズ成分ＳIFnzのレベルより大きい場合に、論理“Ｈ”となるノイズ検出信号Ｓnzを出力し、ノイズ成分ＳRFnzのレベルがノイズ成分ＳIFnzのレベルより小さい場合には、論理“Ｌ”となるノイズ検出信号Ｓnzを出力する。
【００２７】
【数２】
2007096886.tif 000004
【００２８】
また、ノイズレベル比較器１７は、ノイズ成分ＳRFnzを検出したが、ノイズ成分ＳIFnzが検出されないときには、上記式（２）に従って、論理“Ｈ”となるノイズ検出信号Ｓnzを出力し、それとは逆に、ノイズ成分ＳIFnzを検出したが、ノイズ成分ＳRFnzが検出されないときには、上記式（３）に従って、論理“Ｌ”となるノイズ検出信号Ｓnzを出力する。
【００２９】
信号レベル検出部１４は、放送を受信中に、混合器１０から出力されるＩＦ信号ＳIFaを入力し、そのＩＦ信号ＳIFaのエンベロープ（包絡線）を包絡線検波すると共に、検波した包絡線信号（以下、符号「Ｓemv」で表す）のレベルと所定の閾値Ｖthdと比較する。そして、次式（４）（５）で表されるように、包絡線信号Ｓemvのレベルが閾値Ｖthdより小さいときには、論理“Ｈ”となる信号レベル検出信号Ｓwinを出力し、包絡線信号Ｓemvのレベルが閾値Ｖthdより大きいときには、論理“Ｌ”となる信号レベル検出信号Ｓwinを出力する。
【００３０】
【数３】
2007096886.tif 000005
【００３１】
判定部１８は、論理演算回路等で形成されており、ノイズ検出信号Ｓnzと信号レベル検出信号Ｓwinとを入力し、信号レベル検出信号Ｓwinが論理“Ｈ”となった場合に、ノイズ検出信号Ｓnzを判定信号Ｓnzwinとして出力する。すなわち、判定部１８は、信号レベル検出信号Ｓwinが論理“Ｈ”となった場合には、論理“Ｈ”又は“Ｌ”となっているノイズ検出信号Ｓnをそのまま判定信号Ｓnzwinとして出力し、信号レベル検出信号Ｓwinが論理“Ｌ”となった場合には、ノイズ検出信号Ｓnが論理“Ｈ”又は“Ｌ”の何れの場合であっても、論理“Ｌ”となる判定信号Ｓnzwinを出力する。
【００３２】
ゲート信号生成部１９は、単安定マルチバイブレータ等で形成されており、判定信号Ｓnzwinが論理“Ｈ”となっている期間において論理“Ｈ”となるゲート信号Ｓgateを生成して出力し、判定信号Ｓnzwinが論理“Ｌ”となっているときには論理“Ｌ”となるゲート信号Ｓgateを生成して出力する。
【００３３】
ゲート回路２０は、論理演算回路等で形成されており、ゲート信号Ｓgateが論理“Ｌ”となっているときには、局部発振器１３から出力される局発信号ＯＳＣをそのまま混合器１０に供給するための局発信号ＳLoとして出力し、ゲート信号Ｓgateが論理“Ｈ”となっているときには、局部発振器１３から出力される局発信号ＯＳＣに代えて、所定の直流電圧の信号を局発信号ＳLoとして混合器１０に供給する。すなわち、ゲート回路２０は、図１（ｃ）（ｄ）に示したのと同様に、ゲート信号Ｓgateの論理値に応じて、局発信号ＯＳＣ又は所定の直流電圧の信号を混合器１０に供給する。
【００３４】
次に、かかる構成を有するノイズ抑圧回路の動作について説明する。
まず、受聴者等から所望の放送チャンネルが指示されると、局部発振器１３がその放送チャンネルの放送番組を受信するための局部発信周波数ｆcの局発信号ＯＳＣを出力する。
【００３５】
そして、フロントエンド９から出力されるＲＦ信号ＳRFにノイズ成分が混入していないときには、ノイズレベル比較器１７から出力されるノイズ検出信号Ｓnzが論理“Ｌ”となり、更に判定信号Ｓnzwinとゲート信号Ｓgateも共に論理“Ｌ”となることから、局部発信周波数ｆcの局発信号ＯＳＣがゲート回路２０を介してそのまま信号ＳLoとなって混合器１０に供給される。
【００３６】
したがって、ＲＦ信号ＳRFにノイズ成分が混入していないときには通常の受信が行われることとなり、混合器１０が、局周波数ｆchと局部発信周波数ｆcとの周波数差（ｆc−ｆch）に相当する中間周波数に周波数変換したＩＦ信号ＳIFaを出力し、ＩＦフィルタ１１がＩＦ信号ＳIFaを帯域制限することで隣接妨害波等の不要な信号成分を除去したＩＦ信号ＳIFbを出力し、更にＩＦ増幅器１２がＩＦ信号ＳIFbを増幅することで希望波としてのＩＦ信号ＳIFcを検波器（図示略）側へ出力する。
【００３７】
これに対して、ＲＦ信号ＳRFにノイズ成分が混入した場合には、ノイズ抑圧回路が次の受信状態〈１〉〜〈４〉に応じて、混合器１０に供給される局発信号ＳLoを制御する。
【００３８】
〈１〉（ＲＦ信号ＳRFaのノイズ成分ＳRFnzがＩＦ信号ＳIFccのノイズ成分ＳIFnzより大きく、且つ信号レベル検出信号Ｓwinが論理“Ｈ”となった場合）。
かかる受信状態〈１〉の下では、ノイズレベル比較部１７のノイズ検出信号Ｓnzが論理“Ｈ”、判定部１８の判定信号Ｓnzwinも論理“Ｈ”、更にゲート信号生成部１９のゲート信号Ｓgateも論理“Ｈ”となる。したがって、混合器１０に供給される信号ＳLoは、局部発振周波数ｆcの局発信号ＯＳＣに代えて、直流電圧の信号に切り替えられる。
【００３９】
ここで、判定部１８は、論理“Ｈ”となっている信号レベル検出信号Ｓwinに基づいて、混合器１０から出力されるＩＦ信号ＳIFaの信号成分のレベルが大きいと判定して、論理“Ｈ”となる判定信号Ｓnzwinを出力することとなる。そして、ＩＦ信号ＳIFaの信号成分レベルが小さい場合には、ＩＦフィルタ１１で帯域制限されてＩＦ増幅器１２を通過したＩＦ信号ＳIFcまでのゲインが大きく、ノイズもそれに伴って大きくなることから、ゲート回路２０が、混合器１０に対してＲＦ信号ＳRFと直流電圧の信号ＳLoとを混合させることで、ＲＦ信号ＳRFに混入しているノイズ成分を抑制し、そのノイズ成分の影響の少ないＩＦ信号ＳIFa，ＳIFb，ＳIFcを発生させる。
【００４０】
このように、受信状態〈１〉の場合は、上述したようにＩＦ信号ＳIFcまでのゲインが大きくノイズも併せて大きくなる場合であることから、本実施形態のノイズ抑圧回路は、直流電圧の信号ＳLoを混合器１０に供給することで、ＲＦ信号ＳRFに混入しているノイズ成分を積極的に抑制し、ＩＦ信号ＳIFcが検波、復調されることで生じる音声信号がスピーカ等で再生される場合に、受聴者等に違和感を与えることなく、実質的に品質の良い再生音を提供できるようにしている。
【００４１】
〈２〉（ＲＦ信号ＳRFaのノイズ成分ＳRFnzがＩＦ信号ＳIFccのノイズ成分ＳIFnzより大きく、且つ信号レベル検出信号Ｓwinが論理“Ｌ”となった場合）。
かかる受信状態〈２〉の下では、ノイズレベル比較部１７から出力されるノイズ検出信号Ｓnzの論理値に関わらず、判定部１８の判定信号Ｓnzwinが論理“Ｌ”、更にゲート信号生成部１９のゲート信号Ｓgateも論理“Ｌ”となる。したがって、混合器１０に供給される信号ＳLoは、局部発振周波数ｆcの局発信号ＯＳＣと同じとなる。
【００４２】
ここで、判定部１８は、論理“Ｌ”となっている信号レベル検出信号Ｓwinに基づいて、混合器１０から出力されるＩＦ信号ＳIFaの信号成分のレベルが大きいと判定して、論理“Ｌ”となる判定信号Ｓnzwinを出力することとなる。そして、ＩＦ信号ＳIFaの信号成分レベルが大きい場合には、ＩＦフィルタ１１で帯域制限されてＩＦ増幅器１２を通過したＩＦ信号ＳIFcまでのゲインが小さく、ノイズもそれに伴って小さいことから、ゲート回路２０が、ＩＦ信号ＳIFa，ＳIFb，ＳIFcに更なるノイズ成分が混入してしまうことを未然に防止すべく、混合器１０に対してＲＦ信号ＳRFと局部発振周波数ｆcの局発信号ＯＳＣとを混合させて周波数変換を行わせる。
【００４３】
このように、受信状態〈２〉の場合は、上述したようにＩＦ信号ＳIFaまでのゲインが小さく、ノイズのレベルも大きくならないことから、本実施形態のノイズ抑圧回路は、仮にＲＦ信号ＳRFにノイズ成分が混入していたとしても、混合器１０に対してＲＦ信号ＳRFと局部発振周波数ｆcの局発信号ＯＳＣとを混合させて周波数変換を行わせ、ＩＦ信号ＳIFcが検波、復調されることで生じる音声信号がスピーカ等で再生される場合に、受聴者等に違和感を与えないようにしている。
【００４４】
〈３〉（ＲＦ信号ＳRFaのノイズ成分ＳRFnzがＩＦ信号ＳIFccのノイズ成分ＳIFnzより小さく、且つ信号レベル検出信号Ｓwinが論理“Ｈ”となった場合）。
かかる受信状態〈３〉の下では、ノイズレベル比較部１７のノイズ検出信号Ｓnzが論理“Ｌ”となり、判定部１８の判定信号Ｓnzwinも論理“Ｌ”、更にゲート信号生成部１９のゲート信号Ｓgateも論理“Ｌ”となる。したがって、混合器１０に供給される信号ＳLoは、局部発振周波数ｆcの局発信号ＯＳＣと同じとなる。
【００４５】
ここで、判定部１８は、論理“Ｈ”となっている信号レベル検出信号Ｓwinに基づいて、混合器１０から出力されるＩＦ信号ＳIFaの信号成分のレベルが小さい判定することなるが、希望波としてＩＦ信号ＳIFcに大きなノイズ成分が混入していると判定して、論理“Ｌ”となる判定信号Ｓnzwinを出力することとなる。そして、ＩＦ信号ＳIFaの信号成分が小さい場合、ＩＦ信号ＳIFcまでのゲインは大きく、ノイズも併せて大きくなるが、ノイズ検出信号Ｓnzが論理“Ｌ”となるということは、ゲート回路２０が、ＩＦ信号ＳIFa，ＳIFb，ＳIFcに混入している可能性があり、その混入を防ぐために、混合器１０に対してＲＦ信号ＳRFと局部発振周波数ｆcの局発信号ＯＳＣとを混合させて周波数変換を行わせる。
【００４６】
このように、受信状態〈３〉の場合は、ＩＦ信号ＳIFaの信号レベルが小さい場合であったとしても、ゲート回路２０におけるゲート動作によってもノイズ抑圧が良好となるとは限らない場合であることから、本実施形態のノイズ抑圧回路は、混合器１０に対してＲＦ信号ＳRFと局部発振周波数ｆcの局発信号ＯＳＣとを混合させて周波数変換を行わせ、ＩＦ信号ＳIFcが検波、復調されることで生じる音声信号がスピーカ等で再生される場合に、受聴者等に違和感を与えないようにしている。
【００４７】
〈４〉（ＲＦ信号ＳRFaのノイズ成分ＳRFnzがＩＦ信号ＳIFccのノイズ成分ＳIFnzより小さく、且つ信号レベル検出信号Ｓwinが論理“Ｌ”となった場合）。
かかる受信状態〈４〉の下では、ノイズレベル比較部１７のノイズ検出信号Ｓnzが論理“Ｌ”となり、判定部１８の判定信号Ｓnzwinも論理“Ｌ”、更にゲート信号生成部１９のゲート信号Ｓgateも論理“Ｌ”となる。したがって、混合器１０に供給される信号ＳLoは、局部発振周波数ｆcの局発信号ＯＳＣと同じとなる。
【００４８】
ここで、判定部１８は、論理“Ｌ”となっている信号レベル検出信号Ｓwinに基づいて、混合器１０から出力されるＩＦ信号ＳIFaの信号成分のレベルが大きいと判定し、更に、希望波としてＩＦ信号ＳIFcに大きなノイズ成分が混入していると判定して、論理“Ｌ”となる判定信号Ｓnzwinを出力することとなる。そして、ＩＦ信号ＳIFaの信号成分が大きく且つＩＦ信号ＳIFcに大きなノイズ成分が混入している場合には、ＩＦ信号ＳIFcまでのゲインは小さいがノイズ検出信号Ｓnzが論理“Ｌ”であるということは、ゲート回路２０が、ＩＦ信号ＳIFa，ＳIFb，ＳIFcに更なるノイズ成分が混入している可能性があり、その混入を防止すべく、混合器１０に対してＲＦ信号ＳRFと局部発振周波数ｆcの局発信号ＯＳＣとを混合させて周波数変換を行わせる。
【００４９】
このように、受信状態〈４〉の場合は、ＩＦ信号ＳIFaの信号レベルが大きく且つＩＦ信号ＳIFcまでのゲインが大きいが、ゲート回路２０におけるゲート動作によってもノイズ抑圧が良好となるとは限らない場合であることから、本実施形態のノイズ抑圧回路は、混合器１０に対してＲＦ信号ＳRFと局部発振周波数ｆcの局発信号ＯＳＣとを混合させて周波数変換を行わせ、ＩＦ信号ＳIFcが検波、復調されることで生じる音声信号がスピーカ等で再生される場合に、受聴者等に違和感を与えないようにしている。
【００５０】
以上に説明したように、本実施形態のノイズ抑圧回路によれば、ＲＦ信号ＳRFに混入しているノイズ成分が希望波としてのＩＦ信号ＳIFcに混入しているノイズ成分よりも大きく、且つ、混合器１０から出力されＩＦフィルタ１１で帯域制限される以前のＩＦ信号ＳIFaの信号成分のレベルが所定の閾値Ｖthdより小さい場合に限って、混合器１０に直流電圧の信号ＳLoを供給して周波数変換を行わせるので、ゲート回路２０におけるゲート動作による弊害を最小限に抑えて、ＲＦ信号ＳRFに混入しているノイズ成分を抑圧することができる。その結果、受聴者等に対してノイズ感が少なく、違和感の少ない再生音を提供することができる。
【実施例】
【００５１】
次に、より具体的な実施例について、図３を参照して説明する。図３は、本実施例のノイズ抑圧回路の構成を表したブロック図であり、図２と同一又は相当する部分を同一符号で示している。
【００５２】
図３において、本実施例のノイズ抑圧回路の構成を図２と対比して説明すると、ノイズレベル比較部１７は、ノイズ検出回路１７ａ，１７ｃと比較回路１７ｂとを有して構成されており、信号レベル検出部１４は、増幅回路１４ａと包絡線検波回路１４ｂと比較回路１４ｃとを有して構成されている。
【００５３】
更に、ノイズ検出回路１７ａは、増幅回路１５を介して供給されるＲＦ信号ＳRFaに混入しているノイズ成分をハイパスフィルタで抽出し、その抽出したノイズ成分を、所定の時定数（ヒステリシス）を有するバンドパスフィルタで短時間ホールドすることにより、ノイズ成分の発生時間を示す略矩形波状のノイズ成分信号ＳRFnzを生成して出力する。
【００５４】
ノイズ検出回路１７ｃも同様の構成となっており、増幅回路１６を介して供給されるＩＦ信号ＳIFccに混入しているノイズ成分をハイパスフィルタで抽出し、その抽出したノイズ成分を、所定の時定数（ヒステリシス）を有するバンドパスフィルタで短時間ホールドすることにより、ノイズ成分の発生時間を示す略矩形波状のノイズ成分信号ＳIFnzを生成して出力する。
【００５５】
比較器１７ｂは、ノイズ成分信号ＳRFnzとＳIFnzとのレベルを比較するコンパレータで形成されており、上記式（２）（３）を参照して説明したのと同様に、ノイズ成分信号ＳRFnzのレベルがノイズ成分信号ＳIFnzのレベルより大きい場合に、論理“Ｈ”となるノイズ検出信号Ｓnzを出力し、ノイズ成分信号ＳRFnzのレベルがノイズ成分信号ＳIFnzのレベルより小さい場合には、論理“Ｌ”となるノイズ検出信号Ｓnzを出力する。
【００５６】
増幅回路１４ａは、混合器１０から出力されるＩＦ信号ＳIFaを増幅して包絡線検波回路１４ｂに供給する。
【００５７】
包絡線検波回路１４ｂは、増幅回路１４ａで増幅されたＩＦ信号ＳIFaの信号成分のエンベロープを包絡線検波し、その検波した包絡線信号Ｓemvを比較回路１４ｃに供給する。
【００５８】
比較器１４ｃは、ＩＦ信号ＳIFaのＳＮ比が良好な場合に検波される包絡線信号ＳemvのレベルとＳＮ比が良好でない場合に検波される包絡線信号Ｓemvのレベルとを区別するために予め設定されている閾値Ｖthdと、実際の受信中に供給される包絡線信号Ｓemvとを比較するコンパレータで形成されており、上記式（３）（４）を参照して説明したのと同様に、包絡線信号Ｓemvのレベルが閾値Ｖthdより大きいときには、論理“Ｌ”となる信号レベル検出信号Ｓwinを出力し、包絡線信号Ｓemvのレベルが閾値Ｖthdより小さいときには、論理“Ｈ”となる信号レベル検出信号Ｓwinを出力する。
【００５９】
また、判定回路１８は、比較回路１７ｂと１４ｃから出力されるノイズ検出信号Ｓnzと信号レベル検出信号Ｓwinとを論理積演算して、その演算結果を判定信号Ｓnzwinとして出力するＡＮＤゲート（論理積回路）１８によって形成されている。
【００６０】
そして、本実施例のノイズ抑圧回路も、図２に示した実施形態の場合と同様に、フロントエンド９と混合器１０とＩＦフィルタ１１とＩＦ増幅器１２及び局部発振器１３を有する一般的な放送受信機に設けることが可能となっている。
【００６１】
次に、本実施例のノイズ抑圧回路の動作について、図３を参照して説明する。なお、実施形態で説明した受信状態〈１〉〜〈４〉となった場合について説明することとする。
【００６２】
受聴者等から所望の放送チャンネルが指示されると、放送受信機の局部発振器１３が、その放送チャンネルの放送番組を受信するための局部発信周波数ｆcの局発信号ＯＳＣを出力し、混合器１０がゲート回路２０を介して供給されるゲート処理後の局発信号ＳLoとフロントエンド９からのＲＦ信号ＳRFとを混合することでＩＦ信号ＳIFaを出力し、更にＩＦフィルタがＩＦ信号ＳIFaを帯域制限することでＩＦ信号ＳIFbを出力して、ＩＦ増幅器１２がＩＦ信号ＳIFbを増幅することで、希望波としてのＩＦ信号ＳIFcを生成して検波器（図示略）側へ出力する。
【００６３】
〈１〉（ＲＦ信号ＳRFaのノイズ成分ＳRFnzがＩＦ信号ＳIFccのノイズ成分ＳIFnzより大きく、且つ信号レベル検出信号Ｓwinが論理“Ｈ”となった場合）。
かかる受信状態〈１〉の場合には、比較回路１７ｂのノイズ検出信号Ｓnzが論理“Ｈ”、ＡＮＤゲート１８の判定信号Ｓnzwinも論理“Ｈ”、更に単安定マルチバイブレータ１９のゲート信号Ｓgateも論理“Ｈ”となる。したがって、混合器１０に供給される信号ＳLoは、局部発振周波数ｆcの局発信号ＯＳＣに代えて、直流電圧の信号に切り替えられる。
【００６４】
〈２〉（ＲＦ信号ＳRFaのノイズ成分ＳRFnzがＩＦ信号ＳIFccのノイズ成分ＳIFnzより大きく、且つ信号レベル検出信号Ｓwinが論理“Ｌ”となった場合）。
かかる受信状態〈２〉の場合には、比較回路１７ｂから出力されるノイズ検出信号Ｓnzの論理値に関わらず、ＡＮＤゲート１８の判定信号Ｓnzwinが論理“Ｌ”、更に単安定マルチバイブレータ１９のゲート信号Ｓgateも論理“Ｌ”となる。したがって、混合器１０に供給される信号ＳLoは、局部発振周波数ｆcの局発信号ＯＳＣと同じとなる。
【００６５】
〈３〉（ＲＦ信号ＳRFaのノイズ成分ＳRFnzがＩＦ信号ＳIFccのノイズ成分ＳIFnzより小さく、且つ信号レベル検出信号Ｓwinが論理“Ｈ”となった場合）。
かかる受信状態〈３〉の場合には、比較回路１７ｂのノイズ検出信号Ｓnzが論理“Ｌ”となり、ＡＮＤゲート１８の判定信号Ｓnzwinも論理“Ｌ”、更にゲート信号生成部１９のゲート信号Ｓgateも論理“Ｌ”となる。したがって、混合器１０に供給される信号ＳLoは、局部発振周波数ｆcの局発信号ＯＳＣと同じとなる。
【００６６】
〈４〉（ＲＦ信号ＳRFaのノイズ成分ＳRFnzがＩＦ信号ＳIFccのノイズ成分ＳIFnzより小さく、且つ信号レベル検出信号Ｓwinが論理“Ｌ”となった場合）。
かかる受信状態〈４〉の場合には、比較回路１７ｂのノイズ検出信号Ｓnzが論理“Ｌ”となり、ＡＮＤゲート１８の判定信号Ｓnzwinも論理“Ｌ”、更に単安定マルチバイブレータ１９のゲート信号Ｓgateも論理“Ｌ”となる。したがって、混合器１０に供給される信号ＳLoは、局部発振周波数ｆcの局発信号ＯＳＣと同じとなる。
【００６７】
以上に説明したように、本実施例のノイズ抑圧回路によれば、ＲＦ信号ＳRFに混入しているノイズ成分が希望波としてのＩＦ信号ＳIFcに混入しているノイズ成分よりも大きく、且つ、混合器１０から出力されＩＦフィルタ１１で帯域制限される以前のＩＦ信号ＳIFaの信号成分のレベルが所定の閾値Ｖthdより大きい場合に限って、混合器１０に直流電圧の信号ＳLoを供給して周波数変換を行わせるので、感度抑圧特性（ＳＩ）を悪化させることなく、ＲＦ信号ＳRFに混入しているノイズ成分を抑圧することができる。その結果、受聴者等に対してノイズ感が少なく、違和感の少ない再生音を提供することができる。
【図面の簡単な説明】
【００６８】
【図１】従来の放送受信機に設けられているノイズ抑圧回路の構成と機能を説明するための図である。
【図２】本発明の実施形態に係るノイズ抑圧回路の構成を表したブロック図である。
【図３】実施例のノイズ抑圧回路の構成を表したブロック図である。
【符号の説明】
【００６９】
１０…混合器
１１…ＩＦフィルタ
１４…信号レベル検出部
１７…ノイズレベル比較部
１８…判定部
【図１】
2007096886.tif 000006
【図２】
2007096886.tif 000007
【図３】
2007096886.tif 000008